(57)【要約】【課題】【解決手段】本明細書の様々な実施形態の様態は、以下のように実装され得る。器具は、ユーザの顔に合い得る材料シェルと、フィルタがユーザの鼻と口を覆う状態で、ユーザの顔等にフィルタを固定するように動作する、シェルに接続される固定部と、を有する。第１の材料部を介してフィルタに固定力が加えられ、それにより、ユーザの鼻と口の周りにフィルタを密閉する。様々な実装例は、ユーザの顔にフィルタを固定するための２つ以上の自由度を備えて力を加えることを容易にする、材料シェル及び固定部の間の接触領域において、複数の結合器を備える。さらに、様々な実装例は、マスクシェルに利用されるフィルタの交換を容易にする。【選択図】図１５Ａ
2021521357.tif 000002
【特許請求の範囲】
【請求項１】
ユーザの顔に合い、前記ユーザの顔に合った状態で空気をフィルタするように構成及び配置されるフィルタと、
マスクシェルであって、
前記フィルタが前記マスクシェル及び前記ユーザの顔の間に存在する状態で、前記マスクシェルが前記フィルタの周囲領域の周りで延伸し、空気が、前記フィルタを介して、前記フィルタに接触している周囲環境及び前記ユーザの鼻と口の間を直接通過することを許容する、前記マスクシェル及び前記ユーザの顔の間の、前記ユーザの顔に対して保持される前記フィルタと共に、ユーザの顔に合い、
前記フィルタの前記周囲領域において前記フィルタ及び前記ユーザの顔に圧力を加えることにより、前記フィルタを前記ユーザの鼻と口の周りに密閉する、
ように構成及び配置されるマスクシェルと、
前記マスクシェルの各側面に接続され、前記フィルタが前記マスクシェル及び前記ユーザの顔の間に配置される状態で、ユーザの頭を、前記マスクシェルの前記各側面が前記ユーザの顔の対向する側部に位置する状態で、前記マスクシェルの前記各側面を介して前記ユーザの顔に向かう方向に前記フィルタに固定力を加えるために利用することにより、前記フィルタを前記ユーザの鼻と口の周りに密閉するように構成及び配置される対向部を備える固定機構と、
を備える器具。
【請求項２】
前記固定機構は、各前記対向部について、
前記マスクシェルに接続される第１の取り外し可能結合器と、
前記マスクシェルに接続される第２の取り外し可能結合器と、
を備え、
前記第２の取り外し可能結合器は、前記第１の取り外し可能結合器とは別であり、前記第１の取り外し可能結合器から独立して動くように構成及び配置され、
前記第１の取り外し可能結合器及び前記第２の取り外し可能結合器は、互いに異なる方向に固定力を加える、
請求項１の器具。
【請求項３】
前記固定機構を前記マスクシェルに接続させる第１の結合器と、
前記第１の結合器とは別の、前記固定機構を前記マスクシェルに接続させる第２の結合器と、
をさらに備え、
前記第１の結合器及び前記第２の結合器は、前記マスクシェル及び前記固定機構と共に構成及び配置され、前記第１の結合器及び前記第２の結合器を介して、前記マスクシェル及び前記固定機構の間に相対的な動きの自由度をそれぞれ提供する、
請求項１の器具。
【請求項４】
前記第１の結合器及び前記第２の結合器は、前記固定機構を前記マスクシェルに脱着させるために構成及び配置される、請求項３の器具。
【請求項５】
前記第１の結合器及び前記第２の結合器の少なくとも１つは、前記固定機構に接続される第１の部分と、前記マスクシェルに接続される第２の部分と、を備え、
前記第１の部分及び前記第２の部分は、互いに取り外し可能に係合することにより、前記マスクシェルを前記固定機構に接続させるように構成及び配置される、
請求項３の器具。
【請求項６】
前記第１の結合器及び前記第２の結合器のそれぞれは、前記マスク及び前記ユーザの顔に異なる固定力をそれぞれ提供する異なる方向に力を加えるための各自由度を提供するように構成及び配置される、請求項３の器具。
【請求項７】
前記マスクシェルは、前記ユーザの顔に固定された時、前記フィルタの内側表面領域がユーザの顔に接触している状態で、前記ユーザの鼻と口の上にある前記フィルタの外側表面領域を露出させる周囲を有する開口領域を有する、請求項１の器具。
【請求項８】
前記マスクシェルは、前記フィルタの周囲外側表面が前記マスクシェルを覆っている状態で、及び前記フィルタの前記外側表面の中央領域が前記マスクシェルにより覆われず、前記フィルタの前記外側表面の前記中央領域及び対応する前記フィルタの内側表面の中央領域の間で空気が直接通過するように露出している状態で、前記フィルタの周囲内側表面を前記ユーザの顔に固定するように構成及び配置される、請求項１の器具。
【請求項９】
弁要素であって、前記フィルタを通じて第１の方向に空気を通過させ、前記第１の方向とは逆の第２の方向に前記弁を通過する空気を減少させる、弁要素をさらに備える、請求項１の器具。
【請求項１０】
前記弁要素は、前記フィルタに固定され、前記マスクシェルには接続されていない、請求項９の器具。
【請求項１１】
前記マスクシェルは、
前記マスクシェルを通る開口を画定する内周を有し、
前記内周に隣接し、前記フィルタを結合するように構成されるスナップファスナを有する強化部を有し、
呼吸部であって、前記内周及び前記呼吸部の間に存在する前記強化部の上に存在し、前記強化部及び前記固定機構の間に存在する、呼吸部を有し、
前記内周が前記ユーザの鼻と口の周りで延伸し、前記フィルタの外側表面が、前記フィルタが前記ユーザの鼻と口の周りを覆っている状態で前記内周により画定される前記開口を介して露出している状態で、前記フィルタが前記スナップファスナに結合している状態で、前記フィルタを前記ユーザの顔に固定するように構成される、
請求項１の器具。
【請求項１２】
フィルタと、
マスクシェルであって、
前記フィルタの外周に合うように構成及び配置され、前記フィルタの外表面が露出して空気を通過させるマスクシェルの開口を画定する内周を有する第１の材料部と、
前記第１の材料部に接続され、前記第１の材料部及び表面を介して前記表面に向かう方向の固定力を前記フィルタに加えることにより、前記フィルタが前記表面の一部を覆い、前記第１の材料部の前記内周が前記表面の覆われた部分の周りで延伸する状態で、前記フィルタの外周部分が前記第１の材料部及び前記表面の間に配置される状態で、前記第１の材料部及び前記フィルタと共に、前記フィルタを前記表面に固定するように構成及び配置される第２の固定部と、
を備えるマスクシェルと、
備える器具。
【請求項１３】
前記第１の材料部は、前記フィルタの前記露出部分が前記ユーザの鼻を覆っている状態で前記ユーザの鼻と口の周りの前記マスクシェルの前記内周を押す力を加え、前記ユーザの鼻と口の周りの前記フィルタを密閉することにより、前記第２の固定部と共に、前記フィルタを前記ユーザの顔に合わせるように構成及び配置される、請求項１２の器具。
【請求項１４】
前記フィルタ及び前記マスクシェルは、非固定状態において、互いに独立して動くように構成及び配置され、
前記第２の固定部は、前記固定力が前記フィルタを前記マスクシェルに対して固定する固定状態において、前記フィルタの内側表面が前記ユーザの顔に接触して固定される上程で、前記第１の材料部の内側表面を前記フィルタの外側表面に固定するように構成及び配置される、
請求項１２の器具。
【請求項１５】
前記フィルタはスナップファスナを備え、
前記第１の材料部は、
前記フィルタの前記スナップファスナにスナップされることにより、前記フィルタを前記マスクシェルに固定するように構成され、交換のために前記スナップファスナを介して前記フィルタから外されるように構成されるスナップファスナを有する強化部と、
前記強化部に対する空気の通過の向上を促進させるように構成される呼吸部と
を有し、
前記強化部は、内周及び前記呼吸部により囲まれ、
前記呼吸部は、前記強化部及び前記第２の固定部により囲まれる、
請求項１２の器具。
【発明の詳細な説明】
【技術分野】
【０００１】
様々な実施形態の様態は、マスク器具及び関連するアプローチを対象とする。
【背景技術】
【０００２】
マスクは、工業、医療、果てにはレクリエーション用途等の様々な用途に有用である。例えば、工業用マスクは、しばしば、特定の用途に有用又は必要であり、作業者の安全を向上させる。医療用マスクは、医療従事者を曝露から保護するために重要である。レクリエーション用マスクは、埃及び他の粒子をフィルタするのに有用である。
【０００３】
多くのマスクは、有用ではあるが、着けると不快であり、合わせるのが難しく、望ましい保護が得られないことがある。例えば、多くの使い捨てマスクは、サイズ及び形状が一般的であり、顔の毛及び他の様々な顔の特徴を収める等、個人の顔に適切にフィットすることが難しく、不適切な密封をもたらす可能性がある。不適切な密封は、粒子状物質が通過することを許容する可能性があり、また、（例えば、鼻部分が不適切に一致することで）眼鏡を曇らせてしまう。さらに、効果的であり、良くフィットする使い捨てマスクを効率的に製造することは困難である。これら及び他の事情により、様々な用途においてマスクを使用及び実装することは困難であった。
【発明の概要】
【０００４】
様々な例示的な実施形態は、マスクと、マスクシェルを備えるマスク器具と、それらの実装を対象とする。
【０００５】
１つ以上の実施形態によれば、器具は、ユーザの顔に合い、ユーザの顔に合った状態で空気をフィルタするように構成及び配置されるフィルタと、フィルタをユーザの顔に固定するマスクシェル及び固定機構と、を備える。マスクシェルは、フィルタがマスクシェル及びユーザの顔の間に存在する状態でフィルタの周囲領域の周りで延伸し、空気が、フィルタを介して、フィルタに接触している周囲環境及びユーザの鼻と口の間を直接通過することを許容する。さらに、マスクシェルは、フィルタの周囲領域においてフィルタ及びユーザの顔に圧力を加えることにより、フィルタをユーザの鼻と口の周りに密閉してよい。固定機構は、マスクシェルの各側面に接続され、フィルタがマスクシェル及びユーザの顔の間に配置される状態で、ユーザの頭を、マスクシェルの各側面がユーザの顔の対向する側部に位置する状態で、マスクシェルの各側面を介してユーザの顔に向かう方向にフィルタに固定力を加えるために利用することにより、フィルタをユーザの鼻と口の周りに密閉するように構成及び配置される対向部を備える。
【０００６】
別の実施形態は、マスクシェルと、固定機構と、を備える器具を対象とする。マスクシェルは、フィルタがマスクシェル及びユーザの顔の間に存在し、ユーザの顔に対して保持される状態で、ユーザの顔に合うように構成及び配置される。そのような状態で、マスクシェルは、フィルタの周囲領域の周りに延伸し、空気が、フィルタを介して、フィルタに接触している周囲環境及びユーザの鼻と口の間を直接通過することを許容する。さらに、マスクシェルは、フィルタの周囲領域においてフィルタ及びユーザの顔に圧力を加えることにより、フィルタをユーザの鼻と口の周りに密閉するように構成及び配置される。固定機構は、マスクシェルの各側面に接続される対向部と、各対向部について、対向部をマスクシェルにそれぞれ接続させる第１及び第２の（別個の）結合器と、を備える。第１及び第２の結合器は、各第１及び第２の結合器を介して、マスクシェル及び固定要素の間の相対的な動作の自由度をそれぞれ提供する。さらに、第１及び第２の結合器は、ユーザの頭を、マスクシェルの各側面がユーザの顔の対向する側部に位置する状態で、マスクシェルの各側面を介してユーザの顔に向かう方向にフィルタに固定力を加えるために利用することにより、フィルタをユーザの鼻と口の周りに密閉する。
【０００７】
別の実施形態は、ユーザの顔に合い、ユーザの顔に合った状態で空気をフィルタするように構成及び配置されるフィルタと、第１の材料部及び第２の固定部を備えるマスクシェルと、を備える器具を対象とする。第１の材料部は、ユーザの顔に合い、その内部にフィルタを配置してユーザの鼻と口を覆い、呼吸のために空気をフィルタに通過させるように構成及び配置される。第２の固定部は、第１の材料部に接続され、第１の材料部を介してユーザの顔に向かう方向の固定力をフィルタに加えて、フィルタがユーザの鼻と口の周りを密閉することにより、フィルタがユーザの鼻と口を覆っている状態で、フィルタの少なくとも一部分が第１の材料部及びユーザの顔の間に配置される状態で、第１の材料部及びフィルタと共に、フィルタをユーザの顔に固定するように構成及び配置される。いくつかの実装例において、第１の材料部は、第２の固定部と共に、ユーザの鼻と口を囲む輪郭に沿ってフィルタを変形させることにより、フィルタをユーザの顔に合わせるように構成及び配置される、さらに、フィルタ及びマスクシェルは、非固定状態において、互いに独立して動くように構成及び配置されてよく、フィルタの外側表面により第１の材料部の内側表面を固定する、第２の固定部による固定状態を促進する。固定状態において、フィルタの内側表面は、ユーザの顔に接書して固定され、固定力がフィルタをマスクシェルに対して固定する。
【０００８】
上記の説明及び概要は、本開示の各実施形態及び全ての実装例を説明することを意図しない。以下の図面及び詳細な説明も、様々な実施形態を例示する。
【０００９】
様々な実施形態の例は、付された図面と共に、以下の詳細な説明を考慮してより完全に理解され得る。
【図面の簡単な説明】
【００１０】
【図１Ａ】図１Ａは、１つ以上の実施形態に係る、実装され得る、二重ループ耳ストラップを備えるマスク器具を示す。
【図１Ｂ】図１Ｂは、１つ以上の実施形態に係る、実装され得る、二重接続面ストラップを備えるマスク器具を示す。
【図１Ｃ】図１Ｃは、１つ以上の実施形態に係る、実装され得る、ユーザの頭の周りに固定するための二重ストラップを備えるマスク器具を示す。
【図２Ａ】図２Ａは、１つ以上の実施形態に係る、実装され得る、単ボタン取り外し可能二重ループ耳ストラップを備えるマスク器具を示す。
【図２Ｂ】図２Ｂは、１つ以上の実施形態に係る、実装され得る、単ボタン取り外し可能面ストラップを備えるマスク器具を示す。
【図２Ｃ】図２Ｃは、１つ以上の実施形態に係る、実装され得る、単ボタンの取り外し可能なユーザの頭の周りに固定するための二重ストラップを備えるマスク器具を示す。
【図３Ａ】図３Ａは、１つ以上の実施形態に係る、実装され得る、２ボタン取り外し可能二重ループ耳ストラップを備えるマスク器具を示す。
【図３Ｂ】図３Ｂは、１つ以上の実施形態に係る、実装され得る、２ボタンの取り外し可能なユーザの頭の周りに固定するための二重ストラップを備えるマスク器具を示す。
【図３Ｃ】図３Ｃは、１つ以上の実施形態に係る、実装され得る、２ボタン取り外し可能面ストラップを備えるマスク器具を示す。
【図４Ａ】図４Ａは、１つ以上の実施形態に係る、実装され得る、２ボタン取り外し可能二重ループ耳ストラップを備えるマスク器具を示す。
【図４Ｂ】図４Ｂは、１つ以上の実施形態に係る、実装され得る、２ボタン取り外し可能面ストラップ及び付属品を備えるマスク器具を示す。
【図５】図５は、１つ以上の実施形態に係る、実装され得る、フィルタを示す。
【図６】図６は、１つ以上の実施形態に係る、実装され得る、通気アセンブリを備えるフィルタを示す。
【図７】図７は、１つ以上の実施形態に係る、実装され得る、通気アセンブリを備えるフィルタを示す。
【図８】図８は、１つ以上の実施形態に係る、実装され得る、通気アセンブリを備えるフィルタを示す。
【図９】図９は、１つ以上の実施形態に係る、実装され得る、フィルタと共に使用される通気アセンブリを示す。
【図１０】図１０は、１つ以上の実施形態に係る、実装され得る、マスク器具を示す。
【図１１】図１１は、１つ以上の実施形態に係る、実装され得る、マスク器具を示す。
【図１２】図１２は、様々な実施形態に係る、交換可能マスクが挿入されたマスク器具を示す。
【図１３】図１３は、様々な実施形態に係る、交換可能マスクが挿入されたマスク器具を示す。
【図１４Ａ】図１４Ａは、１つ以上の実施形態に係る、中央弁領域を有する交換可能マスクを備えるマスク器具を示す。
【図１４Ｂ】図１４Ｂは、１つ以上の実施形態に係る、異なる固定機構を備える、図１４Ａの中央弁領域を有する交換可能マスクを備えるマスク器具を示す。
【図１５Ａ−Ｄ】図１５Ａ−Ｄは、１つ以上の実施形態に係る、マスク器具を示し、図１５Ａは、マスクシェルの正面右側斜視図を示し、図１５Ｂは、マスクシェルの背面左側斜視図を示し、図１５Ｃは、マスクシェルの背面図を示し、図１５Ｄは、フィルタが接続されたマスクシェルを示す。
【図１６】図１６は、１つ以上の実施形態に係る、ユーザに使用される二重ストラップマスク器具を示す。
【図１７】図１７は、１つ以上の実施形態に係る、ユーザに使用される耳マスク器具を示す。
【図１８】図１８は、１つ以上の実施形態に係る、ユーザに使用される単ストラップマスク器具を示す。
【００１１】
本明細書の様々な実施形態は、変形例及び変更例に従い、その様態は、図面において例として示され、詳細に説明される。しかしながら、発明を説明される特定の実施形態に限定することは意図しないことが理解される。一方で、その意図は、請求の範囲に画定される様態を含む本開示の範囲内の全ての変形例、同等例、及び代替例を範囲に含むことである。また、「例」の単語は、本出願にわたって使用されるが、説明のためのみのものであり、限定するものではない。
【発明を実施するための形態】
【００１２】
本開示の様態は、マスクを備える様々な異なる種類の器具、システム、及び方法に適用可能であり、特に、マスク又はマスクシェルと一体化され得る交換可能なストラップシステムを含む。様々な実施形態は、当該様態を、交換可能マスクと交換可能なストラップシステムを利用する交換可能マスクのフィットを容易にするシェルタイプのアプローチと共に使用することを対象とする。特定の実装例において、本開示の様態は、上記のような装着の問題に悩まされる使い捨てマスクに使用された場合、ユーザの顔に対する密閉の向上及びそれに関連する快適性について有益であることが示される。限定される訳ではないが、様々な様態は、そのような例示的な状況において使用される例についての説明を通して理解され得る。
【００１３】
１つ以上の実施形態について、マスクシェルは、フィルタがマスクシェルに結合された際にフィルタの外表面が露出してよいマスクシェルの開口を画定する内周を有する。さらに、マスクシェルは、使用時に、フィルタがユーザの鼻と口を覆い、第１の材料部の内周がユーザの鼻と口の周りで延伸する状態で、フィルタをユーザの顔に固定するように構成される固定部を有する。従って、固定部は、マスクシェルを介して、ユーザの顔に向かう方向の固定力をフィルタに対して加え、それにより、フィルタをユーザの鼻と口の周りに密閉する。様々な実施形態は、フィルタを含んでよい。
【００１４】
いくつかの実施形態において、マスクシェルは、フィルタをマスクシェルに固定するように構成されるスナップ等の留め具を有する強化部を有する。さらに、マスクシェルは、強化部における空気の通過の向上を促進するように構成される呼吸部を有し、強化部は、呼吸部及び内周の間に存在する。そのため、強化部は、内周及び呼吸部により拘束されてよく、呼吸部は、強化部及び第２の固定部により拘束されてよい。当該実施形態について、留め具を含むマスクシェルの一部分に対するヘビーステッチ又は高密度材料等による強化材料の配置は、フィルタの繰り返しの装着及び交換についてのマスクシェルの耐久性を向上させ、呼吸部は、快適性を促進させることが認識／発見された。
【００１５】
様々な実施形態は、それぞれがマスクシェル及び固定要素の間の相対的な動作の自由度を１つ以上提供する、マスクシェル及び固定要素の間の接続を備えるマスクシステムを対象とする。１つ以上の実施形態について、当該自由度の利用は、マスクシェルに結合されたあるいは貼り付けられたマスクをユーザの顔にさらに固定するためのマスクシェルの装着を容易にすることが認識／発見された。様々な様態は、異なる人々に異なる装着を提供するように適応する柔軟なマスクデザインを提供する。１つのマスクシェルは、複数の異なる種類のフィルタを結合するために利用されてよく、ユーザが様々なフィルタを交換及び収容することを可能にする。旋回軸システム等を使用して提供されてよい様々な自由度は、可動性を向上させてよく、マスクの機能性、効率、及び快適性を向上させるために、任意に、交換可能ストラップが提供されてよい。
【００１６】
１つ以上の実施形態によれば、器具は、ユーザの顔に合い、ユーザの顔に合った状態で空気をフィルタするように構成及び配置されるフィルタと、フィルタをユーザの顔に固定するマスクシェル及び固定機構と、を備える。マスクシェルは、フィルタがマスクシェル及びユーザの顔の間に存在する状態でフィルタの周囲領域の周りで延伸し、（例えば、マスクシェルを通過する必要なく）空気が、フィルタを介して、フィルタに接触している周囲環境及びユーザの鼻と口の間を直接通過することを許容する。このアプローチは、フィルタを通過する気流を妨害することなく、またユーザの顔に対するフィルタの固定密閉を維持しつつ、フィルタの装着及びフィルタの交換を容易にする。マスクシェルは、フィルタの周囲領域においてフィルタ及びユーザの顔に圧力を加えることにより、フィルタをユーザの鼻と口の周りに密閉してよい。固定機構は、マスクシェルの各側面に接続され、フィルタがマスクシェル及びユーザの顔の間に配置される状態で、フィルタをユーザの鼻と口の周りに密閉する対向部を備える。ユーザの頭は、マスクシェルの各側面がユーザの顔の対向する側部に位置する状態で、マスクシェルの各側面を介してユーザの顔に向かう方向にフィルタに固定力を加えるために利用される。
【００１７】
固定機構は、様々な方法で実装されてよい。いくつかの実施形態において、固定機構は、各対向部について、マスクシェルに接続される第１の取り外し可能結合器と、マスクシェルに接続される第２の取り外し可能結合器と、を備える。第２の取り外し可能結合器は、第１の取り外し可能結合器とは別であり、第１の取り外し可能結合器から独立して動く。第１の取り外し可能結合器及び第２の取り外し可能結合器は、互いに異なる方向に固定力を加える。
【００１８】
いくつかの実装例において、第１及び第２の（別個の）結合器は、固定機構をマスクシェルに接続し、共通の結合点（例えば、マスクシェルの共通の側面）に自由度をそれぞれ提供する。第１及び第２の結合器は、マスクシェル及び固定機構と共に動作し、第１及び第２の結合器を介して、マスクシェル及び固定要素の間の相対的な動作の自由度がそれぞれ提供される。例えば、結合器は、固定機構及びマスクシェルに取り外し可能な接続性を提供してよく、様々な種類の固定機構の結合、分離、及び交換を容易にする。いくつかの実装例において、第１及び第２の結合器の１つまたは両方は、固定機構に接続される第１の部分と、マスクシェルに接続される第２の部分と、を備え、第１及び第２の部分は、互いに取り外し可能に係合することにより、マスクシェルを固定機構に接続させるように構成及び配置される。第１及び第２の結合器は、マスク及びユーザの顔に異なる固定力をそれぞれ提供する異なる方向に力を加えるための各自由度を提供してよい。
【００１９】
いくつかの実施形態において、マスクシェルは、ユーザの顔に固定された時、ユーザの鼻と口の上にあるフィルタの外側表面領域を露出させる周囲を有する開口領域を有し、フィルタの内側表面領域は、ユーザの顔に接触している。例えば、マスクシェルは、フィルタの周囲外側表面がマスクシェルを覆っている状態で、フィルタの周囲内側表面の周りを延伸し、フィルタの周囲内側表面をユーザの顔に固定してよい。フィルタの外側表面の中央領域は、マスクシェルにより覆われないまま残り、従って、フィルタの外側表面の中央領域及び対応するフィルタの内側表面の中央領域の間で空気が直接通じるように露出している。
【００２０】
いくつかの実施形態において、弁要素が結合され、フィルタの開口を通じて第１の方向に空気を通過させ、第１の方向とは逆の第２の方向に開口を通過する空気を減少させる。弁要素は、フィルタに固定され、（例えば、交換可能なフィルタの一部として）マスクシェルには接続されなくてよい又はマスクシェルに接続されてよい。後者の場合、弁要素は、マスクシェルの開口を通じて第１の方向に空気を通過させ、第２の方向にマスクシェルの開口を通過する空気を減少させる。
【００２１】
別の実施形態は、以下のように、マスクシェル及び固定機構を備える器具を対象とする。マスクシェルは、フィルタがマスクシェル及びユーザの顔の間に存在し、ユーザの顔に対して保持される状態で、ユーザの顔に合う。マスクシェルは、フィルタの周囲領域の周りに延伸し、空気が、フィルタを介して、フィルタに接触している周囲環境及びユーザの鼻と口の間を直接通過することを許容する。また、マスクシェルは、フィルタの周囲領域においてフィルタ及びユーザの顔に圧力を加えることにより、フィルタをユーザの鼻と口の周りに密閉する。例えば、マスクシェルは、ユーザの顔に固定された時、ユーザの鼻と口の上にあるフィルタの外側表面領域を露出させる周囲を有する開口領域を備え、対応するフィルタの内側表面領域がユーザの顔に接触するように実装される。
【００２２】
固定機構は、マスクシェルの各側面に接続される対向部と、各対向部について、対向部をマスクシェルにそれぞれ接続させる第１及び第２の（別個の）結合器と、を備える。結合器は、マスクシェル及び固定機構と共に動作し、各第１及び第２の結合器を介して、マスクシェル及び固定要素の間の相対的な動作の自由度がそれぞれ提供される。また、結合器は、マスクシェルの各側面がユーザの顔の対向する側部に位置する状態で、マスクシェルの各側面を介してユーザの顔に向かう方向にフィルタに固定力を加えるためにユーザの頭を利用することにより、ユーザの鼻と口の周りにフィルタを密閉する。特定の実施形態は、さらに、フィルタを備える。
【００２３】
結合器は、様々な方法で実装されてよい。例えば、結合器は、互いに対して異なる方向に力を加えてよく、ユーザの顔に対する、固定され、快適なマスクの装着を容易にする。結合器の１つまたは両方は、固定機構に接続される第１の部分と、マスクシェルに接続される第２の部分と、を備え、第１及び第２の部分は、互いに取り外し可能に動作可能である。第１及び第２の結合器は、マスク及びユーザの顔に異なる固定力をそれぞれ提供する異なる方向に力を加える自由度をそれぞれ提供してよい。
【００２４】
様々な例示的な実施形態によれば、本開示の様態は、ユーザがマスクをシェルの内部に配置できる器具及びアプローチを対象とする。シェルは、ユーザに結合し、シェルからマスクに伝達される保持力を提供する１つ以上の留め具を備え、シェル及びマスクは、互いに合い、ユーザの顔に対してマスクを固定するように動作可能である。いくつかの実装例において、シェルは、マスクを覆い、空気がマスクを通過することを許容し、別の実装例において、シェルは、マスクと共に動作して、マスクの一部（例えば、中央部）が露出したままであることを許容しつつ、ユーザの顔にマスクを固定する。このアプローチは、様々な異なる種類の顔の特徴、骨構造、及びサイズにマスクを正確に合わせることを補助する。また、このアプローチは、再利用可能なシェルを介した強固な装着を提供しつつ、交換マスク材料（例えば、使い捨てマスク）の使用を容易にする。この観点において、快適性、安全性、及び利便性の様態は、全て解決され、低コストであることが望まし使い捨てマスクについて特に有益である。
【００２５】
様々な実施形態において、柔軟材料が、交換可能なマスクに合うシェル（例えば、フレーム）を提供するために使用される。例えば、シェルは、ネオプレン（登録商標）、メッシュ材料、水分ウィッキング材料、綿材料、及び／又はポリエステル材料を含む。フレームは、交換可能なマスクが露出してよい複数の開口を備えてよく、交換可能なマスクを通した呼吸を容易にする。いくつかの実装例において、シェルは、メッシュ又は穴あき構造を通して空気をマスクへと通過させる。シェルは、シェルを固定する１つ、２つ、又はそれ以上のストラップを有してよく、ストラップがマスクと一体化した時、マスクはユーザに固定される。そのようなストラップは、（例えば、面ファスナ又はボタンを介して）シェルに接続されるヘッドストラップ及び／又は別のストラップを備えてよい。さらなる実施形態において、シェルが非固定位置にある時（例えば、ユーザの顔から外された時）、シェルをユーザの首の周りで緩やかに保持するための保持ストラップが備えられる。
【００２６】
いくつかの実施形態において、シェル及び対応するマスクの装着及び密閉は、ユーザの顔に対する力によりシェル（及びその中のマスク）を引く一致要素により、実行される。いくつかの実施形態において、弾性材料は、ユーザの鼻と口の周りを延伸し、調整可能な圧力を調整可能に加えるように動作し、この文脈においては、ユーザの顔に対する調整可能な固定力を提供する。例えば、ゴム圧縮リングを有する弾性引きひも、又は丸形弾性コードを、張力を助長するために使用してよい。コードは、例えば、張力リング又は別の要素を使用して固定されてよい。特定の実施形態において、弾性材料は、様々なサイズのマスクを収容するために調整可能となるように、シェルと一体化される。様々な実施形態は、ユーザの鼻と口を囲む通路に沿って均等又はほぼ均等な圧力を加える一致要素を備え、マスク及びユーザの顔の間に密閉を提供する。
【００２７】
いくつかの実施形態において、本明細書のマスクシェルは、マスクシェル内における物理的な変形があっても形状を保持する変形可能材料を備える。例えば、一片の屈曲可能アルミニウム材料を、シェルが配置された際にユーザの鼻を覆う領域におけるシェルに縫い込んでよい。アルミニウム片は、マスクシェル及びその内部のマスクを、ユーザの鼻に合うように曲がることができる。
【００２８】
１つ以上の実施形態は、シェルの対象の位置に、弾性又は別の適合／締め要素を備える。１つの実施形態において、弾性材料は、シェルの顎部近傍に配置され、ユーザの顎周りの強い密閉を促進する。例えば、シェルの他の部分に比べて、顎領域に追加の布を適用し、密閉を促進してよい。いくつかの実施形態において、材料を顎に締め付けるために、ストラップが顎領域に一体化される。
【００２９】
いくつかの実装例において、マスクは、整列要素により、本明細書のシェルに整列する。例えば、そのような整列要素は、シェルの他の部分を形成する材料の一部又は材料とは別個であってよい鼻梁又は他の構造を備えてよい。整列要素は、取り外し可能マスクをシェルに対して整列させるように動作し、その適切な装着を容易にする（例えば、マスクシェルの内側表面とフィルタの外側表面の接触）。
【００３０】
様々な付属品が特定の実施形態に適するように実装されてよい。いくつかの実施形態において、耳栓、安全眼鏡、収納ポーチ、又は光が、機能性をもたらすために取り付けられる。特定の実施形態は、風が強い又は寒い環境において役立つバンダナ、ディッキー、又はネックスカーフ等の追加の材料を備える。これらの要素は、面ファスナ又はボタン等の様々な結合又は固定アプローチにより実装されてよい。ストラップ又は留め具の必要性を軽減し得るフルヘッドバラクラバが、特定の用途のために組み込まれてよい。
【００３１】
様々なマスクが様々な用途に適するように実装されてよい。例えば、埃マスク、ケミカルマスク、医療用マスク、及びその他は、本明細書に説明されるシェルにより実装されてよい。これらのマスクは、洗濯可能、使い捨て、又は長期間にわたって使用可能である。そのようなマスクは、例えば、ミネソタ州セントポール市の３Ｍ  Ｃｏｍｐａｎｙ、カリフォルニア州カルバーシティ市のＭｏｌｄｅｘ、及びニュージャージー州モリスタウンのＨｏｎｅｙｗｅｌｌから市販されている。また、様々なサイズのマスクが共通のシェルにより使用できる。例えば、シェルは、様々なサイズのマスクを収容する開口により調整されてよく、各マスクに対して調整され、ユーザの顔に適切な密閉を提供する。
【００３２】
様々な実施形態において、本明細書のシェルは、ユーザの眼鏡又は他の眼鏡類に対して届く湿気を軽減又は湿気が届くことを防止する密閉機構を備える。そのようなアプローチは、シェル及び／又はその中のマスクをユーザの顔に合わせる鼻あて及び／又は他の一致要素を備えてよい。このアプローチは、例えば使い捨てマスクにより実装されるような比較的弱いストラップシステムよりも良好な密閉を提供する。さらに、マスクは、望ましくは顔の特徴の上において密閉を提供し、フィルタの効果を向上させる。
【００３３】
様々な実施形態は、電源アクセサリ用の電源接続を有するマスクシェルを対象とする。正端子及び負端子は、アクセサリの取り付けが望まれるマスクの１つ以上の部分に配置され、電源に接続される。いくつかの実装例において、端子は、マスクの他の部分に配置されるバッテリ等のリモート電源へと延伸する導体に接続される。特定の実施形態において、バッテリは、マスクシェルの後部に一体化されるポーチに収納される。導体は、端子に接続されるアクセサリの電源を入れる又は消すことに使用されるスイッチが実装されてよい。様々な実施形態において、カバーが備えられて端子に接続され、端子が使用されない時に端子を覆う。そのようなアプローチは、スナップタイプの端子に実装されてよく、スナップタイプの端子は、ボタンカバーが結合されてよい。
【００３４】
１つ以上の実施形態によれば、器具は、シェル及びユーザの間にフィルタが配置されて状態で、ユーザの顔に合う第１のシェル部分を備える。柔軟材料及びストラップ等の固定部は、第１のシェル部に接続され、（例えば、ユーザの首の後ろの周りにストラップを固定することにより）シェル部に力を加えることによりフィルタをユーザの顔に固定する。従って、フィルタは、マスクによってユーザの顔に圧力を加え、ユーザの鼻と口を覆う。様々な実施形態は、さらに、本質的にシェルに対して自由に動くことができるフィルタを備える。
【００３５】
様々な実装例において、第１のシェル部は、第１のシェル部は、ユーザの顔と接触するフィルタの内側表面の通路に沿った固定力を加え、固定力は、通路の全長にわたってほぼ同等である。このアプローチは、例えば、（例えばユーザの鼻と口を囲む輪郭に沿ってフィルタを変形させることにより）マスクフィルタの配置及び固定に関する問題を軽減して、漏れを軽減することに有用である。弾性材料は、シェル類似材料及びフィルタの間の経路又は他の境界に沿って実装されてよい。固定部が頑丈なストラップを備えてよいため、これらのストラップは、フィルタをユーザに装着すること（例えば、使い捨てマスク）を補助できる。特定の実施形態において、第１のシェル材料部は中央開口を有し、そこにフィルタが挿入され、そこにおいて、フィルタの外側表面の一部は覆われておらず、フィルタの外側表面の他の一部は第１の材料部により覆われている。開口の周りの弾性材料は、フィルタをマスク及びユーザの顔に合わせるように実装される。第２の固定部は、第１の固定部をマスクの外側表面に対して固定し、マスクの内側表面をユーザの顔に固定する。
【００３６】
特定の実施形態は、ユーザの鼻峯を密閉し、その内部のユーザから吐かれた湿気によりユーザがつける眼鏡類が曇ることを阻止する固定部を備える。このアプローチは、ユーザの鼻に接触する鼻部分の内側表面により実装されてよく、第１の材料部は、フィルタの内側表面が鼻部分が接触している鼻峯の下のユーザの鼻の部分に接触している状態で、フィルタを固定する。
【００３７】
本明細書の様々なアプローチは、上記のように、シェル又は第１の材料とは独立して動いてよい、交換可能又は使い捨てマスクの使用を含む。第２の固定部は、フィルタの内側表面が固定力によりユーザの顔に接触し固定される状態で、フィルタの外側表面によりシェルの内側表面を固定する。
【００３８】
様々な実装例において、本明細書に記載される固定部は、ユーザに顔の毛がある場合とない場合のそれぞれの状態でフィルタをユーザの顔に固定するために、シェルに対して設定可能な圧力を加え、それにより、各状態において異なる圧力量を介して密閉を形成する。特定の実装例において、固定部は、設定可能な圧力を加えるように構成及び配置される顎ストラップを備える。従って、固定部は、例えば、シェルに一体化している及び／又は別の要素としてシェルに結合されてよい（例えば、ユーザの首の周りに延伸するストラップとは別の顎ストラップ）。同様に、様々な弾性コードが、例えば設定可能な力を維持する圧縮リングと共に、ユーザの鼻と口を囲む通路に沿って設定可能な力を加えるように実装されてよい。
【００３９】
図面を参照すると、図１Ａ−Ｃは、マスクシェル１０５と、各図面においてそれぞれ示される交換可能な固定機構１１０、１２０、１３０と、を備えるマスク器具１００を示す。固定機構１１０は、調整可能／取り外し可能二重ループ耳ストラップを示し、固定機構１２０は、二重接続面ストラップを示し、固定機構１３０は、ユーザの頭の周りで固定される二重ストラップを示す。（例えば、図１Ａの１１２、１１４において示される）各工程機構の各接続点は、それぞれ、接続に少なくとも１つの自由度を提供し、望ましい装着を容易にする。例えば、ストラップ１１０及び１３０は、それぞれ接続されたストラップ部について、異なる動きを提供し、マスクシェル１０５の装着を向上させる。
【００４０】
交換可能フィルタ１０６は、マスクシェル１０５に一体化されてよく、マスクシェル１０５に固定されてよく、又は単純にマスクシェル１０５により加えられる圧力を介してユーザの顔に固定されてよい。従って、マスクシェル１０５は、その中央領域が露出する交換可能なフィルタ１０６の周囲の周りに圧力／固定を加える。交換可能フィルタ１０６は、除去されてよい又は別の種類の弁と置換されてよい任意の排出弁１０７と共に示される。調整可能鼻クリップ１０８等の他の要素が、器具に追加可能である。
【００４１】
従って、図１Ａ−Ｃは、ユーザの頭及び／又は首に対するマスクシェル及びフィルタの固定を含む例示的な実施形態を示す。様々な固定機構の別の組み合わせが使用されてよく、異なる固定機構の組み合わせが使用されてよい。
【００４２】
図２Ａ−Ｃは、各単ボタン取り外し可能固定機構を備えるマスク器具２００を示し、図２Ａは、二重ループ耳ストラップ２１０を備え、図２Ｂは、単接続面ストラップ２２０を備え、図２Ｃは、ユーザの頭の周りで固定するための二重ストラップ２３０を備える。器具２００は、マスクシェル２０５と、フィルタ２０６と、任意の弁２０７と、任意の鼻あて２０８と、を備える。各ストラップの二重接続を介して複数の自由度が依然として提供されてよく、固定機構をマスクシェル２０５にさらに結合させるための単スナップが
提供される。単ボタン接続は、旋回軸点の回転を容易にし、各ストラップの別の調節法と組み合わされてよい。
【００４３】
図３Ａ−Ｃは、１つ以上の実施形態により実装される、様々な２ボタン取り外し可能固定機構を備えるマスク器具３００を示す。図３Ａは、２ボタン耳ループを示し、図３Ｂは、ユーザの頭の周りで固定するための２ボタン二重ストラップを示し、図３Ｃは、２ボタン取り外し可能面ストラップを示す。図３Ａを参照すると、器具３００は、マスクシェル３０５と、フィルタ３０６と、を備え、任意の弁３０７及び任意の鼻あて３０８と共に示される。２点固定と旋回軸機能の組み合わせは、追加の自由度を提供する。
【００４４】
図４Ａは、１つ以上の実施形態により実装される、２ボタン取り外し可能二重頭ストラップと、様々な付属品と、を備えるマスク器具４００を示す。器具４００は、マスクシェル４０５と、フィルタ４０６と、を備え、任意の弁４０７及び任意の鼻あて４０８と共に示される。２つのストラップ４１０及び４１２のそれぞれは、ボタンを介してマスクシェル４０５に接続される。
【００４５】
図４Ｂは、１つ以上の実施形態により実装される、２ボタン取り外し可能面ストラップ４２０と、様々な付属品と、を備えるマスク器具４００を示す。付属品は、取り外し可能頭ストラップ４３０と、取り外し可能耳栓４４０と、それぞれ自由度を提供する、代替的な任意のスナップ４２２及び４２４と、を含む。
【００４６】
本明細書に図示されるマスクシェルは、１つ以上の変形例により実装されてよい。いくつかの実施形態において、弁は、トレーニング目的のために呼吸能力を阻害するように通気性を調節可能に提供される。例えば、調節可能な空気抵抗弁が、肺気量／肺強化のために抵抗を増加又は減少させるために実装可能である。弁は、回すことにより調節可能であり、ユーザはマスクを通る通気量を画定できる。また、給水元栓が実装可能である。
【００４７】
フィルタの固定は、上記の方法に追加して又は上記の方法の代わりに、他の方法で実行されてもよい。いくつかの実施形態において、本明細書のマスクシェルは、鼻あての内側にスナップ（リベット）を備える。スナップは、ユーザが、例えばスナップ／リベットの雄端をマスク内にスナップすることにより、未加工フィルタ（息を吐くための穴がない）を挿入することを可能にする。これにより、ユーザは、フィルタされていない排出弁を通して息を吐く場合と比較して、例えば、フィルタ内の活性炭を通して息を吐くことにより、自身の息の匂いを遮断することができる。いくつかの実装例において、吐いた息が炭素フィルタを通過する状態でフィルタされていない空気を吸い込むために、一方向弁が利用される。さらに、取り入れた空気を温めるために使用されるマスクシェルにおいて、吐いた空気が一方向弁を自由に通過することを許容しつつ、フィルタが省略されてもよい。
【００４８】
特定の実装例において、活性炭フィルタ等のパック型フィルタをさらに追加するために、フィルタカートリッジがマスクに結合される。この観点において、例えば、消防士又は汚染環境における作業者は、様々な種類のフィルタを固定してよい。この観点において、異なる種類又は数のフィルタが利用されてよい。
【００４９】
図５は、１つ以上の実施形態により実装される、フィルタ器具５００を示す。フィルタ器具５００は、フランジ５２０によりフィルタ器具内の開口に固定される弁５１０を備え実装されてよい。例えば、フィルタ器具５００は、図１Ａ−４Ｂに示されるような本明細書のマスクシェルに実装されてよい。
【００５０】
図６は、１つ以上の実施形態により実装される、通気アセンブリを備えるフィルタ器具６００を示す。フィルタ６１０は、フィルタ６１０に結合され、図５に示されるようなフランジ及び弁を備え実装される、通気アセンブリ６２０を備える。
【００５１】
フランジ５２０は、本明細書のフィルタ又はマスクシェルに圧縮されてよく、弁が通って突出する穴／挿入孔を形成する。フランジ５２０は、フランジの外側に、マスクの布に対して押されるいくつかの小さな歯を有する柔らかく可鍛性のアルミニウム丸片により実装されてよい。また、フランジは、マスクの布の穴に一度配置された後に圧縮される高リングを有してよい。圧縮されると、（フィルタに取り付けられた）弁が挿入される硬く丸い開口がもたらされる。弁５１０は、フィルタに超音波接合されてよく、外側辺の周りに４つの小さな突起を備える。ユーザは、圧縮されたフランジの開円が弁よりもやや大きく、突起を備える弁よりは小さい状態で、圧縮されたフランジを通じて弁を押してよく、交換可能フィルタ及びマスクのぴったりとした接合を促進する。フィルタを交換するために、ユーザは、弁／フィルタを圧縮フランジから引いて戻し、破棄し、上記の工程を繰り返してよい。
【００５２】
図７は、１つ以上の実施形態により実装される、フィルタ７１０及びフランジ７２０を有するフィルタ器具７００を示す。フランジ７２０は、フィルタ７１０に係合する歯を有する挿入体として示される。図８は、１つ以上の実施形態により実装される、フィルタ８１０に取り付けられる通気アセンブリ８２０を備えるフィルタ器具８００を示す。アセンブリ８２０は、図７のフランジにより実装されてよい。
【００５３】
フランジ７２０は、フィルタ７１０又はマスクシェルに圧縮されてよく、弁アセンブリ８２０に示されるような弁が通って突出する穴／挿入孔を形成する。フランジは、フランジの外側に、マスクの布に対して押されるいくつかの小さな歯を有する柔らかく可鍛性のアルミニウム丸片であってよい。また、フランジは、マスクの布の穴に一度配置されると圧縮される高リングを有してよい。弁が押されて通るフランジの内部には、（例えば、８２０において示される）４つの小さな突起があってよい。これらの突起は、弁が押されて通るぴったりとした穴を提供する。圧縮されると、（フィルタに取り付けられた）弁が挿入される、突起を備える硬く丸い開口が提供される。弁アセンブリ８２０は、フィルタ８１０に超音波接合されてよい。ユーザは、突起を備える圧縮されたフランジの開円が弁の円周よりもやや小さい状態で、圧縮されたフランジを通じて弁を押してよく、交換可能フィルタ及びマスクのぴったりとした接合をもたらす。フィルタを交換する際、ユーザは、弁／フィルタを圧縮フランジから単に引いて戻し、破棄し、上記の工程を繰り返してよい。
【００５４】
図９は、１つ以上の実施形態により実装される、フィルタ及び／又はマスクと共に使用される通気アセンブリ９００を示す。アセンブリ９００は、フィルタ９２２に固定することができる弁９１０及びフランジ９２０を備える。図９の右側に示されるように、フランジ９２０は、フィルタ９２２を通って押され、フィルタ９２２に係合する、その後、弁９１０は、フィルタ９２２を通って押され、最終的にアセンブリを形成する（例えば、図６に示されるものと同様）
【００５５】
図１０は、１つ以上の実施形態により実装される、マスク器具１０００を示す。器具１０００は、ストラップ１０２０及び１０２２が組み込まれるシェル１０１０を備え、ユーザの頭をマスク１０３０に固定する。シェル１０１０は、特定の実施形態に適するように、様々な材料及び形状で実装されてよい。ストラップ１０２０及び１０２２は、互いを固定する又はユーザ上の他の要素を固定するように動作し、シェル１０１０を介してユーザの顔に対する力をマスク１０４０に加える。
【００５６】
シェル１０１０は、様々な方法で実装されてよい。いくつかの実装例において、シェルは、固く、マスク１０３０の外側表面を覆う（図１０に示される図において、外側表面が反対を向く、マスクの内側表面が示される）。別の実装例において、シェル１０１０は、マスク１０１４の外側表面が露出する１つ以上の開口を有する。さらに別の実装例において、シェル１０１０の内側表面は、ストラップ１０２０を介してシェルがユーザの顔に結合された時、マスクに対して上記の力を加えるように動作する。この文脈において、マスク１０３０は、非固定状態においてシェル１０１０から独立していてよく、固定状態においてユーザの顔に対して固定されてよい／押されてよい。この文脈において、上記のような交換可能又は使い捨てマスクは、ユーザの鼻と口の周りに貼り付けられてよく、空気のフィルタを提供する。シェル１０１０は、ユーザの鼻と口の周りへの均等な力等の圧力をマスクに加え、密閉を作るように動作する。
【００５７】
図１０に示される１つ以上の要素は、様々な実施形態に適するように、個別に又は組み合わせで実装されてよい。さらに、器具１０００は、本明細書に説明されるような様々な特徴により実装されてよい。例えば、いくつかの実施形態において、密閉を維持しつつ顔の毛を収容こと等の、ユーザの装着性を向上させるために、固定泡又は他の材料１０４０が使用されてよい。さらに、材料１０４０を引っ張るために、張力要素１０４２が使用されてよい。いくつかの実施形態は、１０５０においてシェル１０１０に対するマスク１０３０の配置をガイドする泡等の材料を備えてよい。シェル１０１０のユーザに対する密閉を向上させるために、鼻あて１０６０が実装されてよく、眼鏡類を曇らせる湿気が漏れ出ること等に関する課題を解決する。
【００５８】
図１１は、１つ以上の実施形態により実装される、別のマスク器具１１００を示す。例えば、器具１１００は、図１０に示される器具１０００に応じて実装されてよく、この文脈において、同様の要素には様々な同様の参照番号が使用される（例えば、マスク１１１０、ストラップ１１２０及び１１２２、マスク１１３０、張力要素１１４２、並びに鼻あて１１６０）。
【００５９】
例として、１１２２においてマスク１１３０を収容する開口を備えるシェル１１１０が示される。領域１１１４におけるシェル１１１０の内側表面は、その端において、マスク１１３０の外側表面と接し、（係合するストラップ１１２０及び１２１２２による）ユーザの顔に対してマスクを固定する力を加える。従って、シェル１１１０の領域１１１４は、配置された時にマスクの外側表面の一部が開口１１１２を介して露出する状態で、マスク１１３０に合うような形状となることが可能である。泡ガイド等のガイド１１１６は、マスク１１３０をシェル１１１０に整列させるように動作する、フック等のファスナ１１１８は、マスク／シェルの組み合わせがユーザに装着され、ストラップ１１２０及び１１２２を介して固定される状態において、マスク１１３０をシェル１１１０に固定することを補助するように実装されてよい。
【００６０】
様々な追加の要素が図１１に示され、その１つ以上が器具１１００と共に実装されてよい。例えば、ストラップ１１２０及び１１２２は、（一方がフックを備え、他方がループを備える）面ファスナ１１２１及び１１２３により、互いに固定されてよく、１１２５において示されるように伸縮材料を備え、シェルをユーザに固定してよい。１１７０、１１７２、及び１１７４等の複数の接続点において、耳栓、安全眼鏡、及び頭ストラップ等の付属品を接続させるために、複数のコネクタが実装されてよい。
【００６１】
図１２は、様々な実施形態に係る、交換可能マスク１２３０の挿入されたマスク器具１２００を示す。器具１０００は、図１に示される器具１００に応じて及び／又は図１１の器具１１００により、実装されてよい。この文脈において、様々な同様の特徴は、図１２においてはさらに説明されず、図１及び１１に説明される特徴により実装可能な点が理解される。そのような特徴は、シェル１２１０、鼻あて１２６０、頭ストラップリベット１２７４、張力要素１２４２、伸縮要素１２２５、ストラップ１２２０及び１２２２、耳栓リベット１２７０、並びに安全眼鏡リベットを含んでよい。
【００６２】
器具１２００は、異なる位置における、装着又は除去されるマスク１２３０を示す。また、器具１２００は、収納ポーチ１２９２に収納されてよいバッテリにより電力供給されるライト１２９０を実装していてよい。
【００６３】
図１３は、図１２に示される器具１２００と同様の器具１３００を示し、同様に実装され得る要素を参照するために共通の参照番号が使用される。また、図１３は、伸縮材料１３１１（例えば、スパンデックス）、マスク１２１０に縫い込まれているあるいは一体化している弾性コード１３１３、並びに（部分断面図により示される）当該端子に結合されるリード線１３９４及び１３９６を有する端子１３９２を示す。これらのリード線は、例えば、（例えば、追加のバッテリコネクタを備える及び／又はマスクに一体化されたバッテリを備える）バッテリが配置され結合されるポーチ１２９２に戻ってよい。
【００６４】
図１４Ａは、１つ以上の実施形態により実装される、中央弁領域を有する交換可能マスクを備えるマスク器具１４００を示す。器具１４００は、中央弁領域を有するフィルタ１４２０を収納するように構成されるマスクシェル１４１０を備える。器具１４００は、フィルタ１４２０を備えてもよい。マスクシェル１４１０は、ユーザの耳の周りに固定されるための固定機構に結合されて示される。いくつかの実施形態において、器具は、固定機構１４３０を備える。
【００６５】
図１４Ｂは、面ファスナを有する、異なる固定機構１４４０を備える図１４のマスク器具１４００を示す。また、図１４Ｂに示される器具１４００は、マスクシェル１４１０を備え、フィルタ１４２０及び固定機構１４４０を備えてよい。
【００６６】
図１５Ａ−１５Ｄは、１つ以上の実施形態に係る、マスク器具１５００を示す。図１５Ａから始めると、マスクシェル１５０１の正面右側斜視図が示され、マスクシェルは、開口を画定する内周１５０２と、外周１５０４と、その間の材料と、を備える。マスクシェル１５０１は網目状材料として図示されているが、様々な実施形態は、平坦又は他の形状の材料を使用する。マスクシェル１５０１は、交換可能フィルタを接続するように構成されるファスナ１５１０及び１５１２を備える。例えば、ファスナ１５１０及び１５１２は、交換可能フィルタに結合される雄スナップファスナに受け入れるように構成される雌スナップファスナ等のスナップファスナであってよい。マスクシェル１５０１は、ファスナ１５１２を介してマスクシェルに固定される任意の鼻あて１５２０を備え示される。ファスナは、リベット、又は鼻あてを固定し、フィルタ上に別のファスナに結合してもよいスナップファスナ等のファスナであってよい。ユーザの顔にマスクシェルを固定するためのコネクタが示され、例示のために、コネクタは１５３０及び１５３２と付される。
【００６７】
図１５Ｂは、器具１５００のマスクシェル１５０１の実装例の背面左側斜視図を示す。ファスナ１５１０及び１５１２は、フィルタに結合するための雌スナップファスナとして図示される。マスクシェル１５０１は、内周１５０２に隣接する強化部１５４０と、境界領域１５４１の反対側の呼吸部１５４２と、を備える。上記と同様に、１５４０における強化の使用は、マスクシェルに結合されるフィルタの繰り返しの交換を容易にし、呼吸部は、快適性を促進させることが認識／発見された。
【００６８】
図１５Ｃは、別の実装例に係る、マスクシェル１５０１の背面図を示す。上記のファスナ１５２１、１５１０、及び１４１２に加えて、ファスナ１５２２が示される。これら４つのファスナは、マスクシェル１５０１の強化部１５４０に結合され、交換可能フィルタの繰り返しの脱着のために構成される。
【００６９】
図１５Ｄは、弁１５５２を有するフィルタ１５５０がマスクシェル１５０１に接続される器具１５００の実装例の斜視図である。弁１５５２は任意であり、フィルタ１５５０は、様々な材料により、様々な方法で実装されてよい。フィルタ１５５０は、ファスナ１５１０に結合するように配置されたファスナを含む、マスクシェルに結合される複数のファスナを備える（例えば、フィルタにリベット又は糊付けされる雄スナップファスナ）。従って、マスクシェル１５０１は、空気がフィルタを通過することを許容しつつ、フィルタが使用された際にフィルタ１５５０の周囲をユーザの顔に固定するように動作する。さらに、この観点において、複数の異なる種類のフィルタがマスクシェルに結合されてよく、マスクシェルに汎用性をもたらす。
【００７０】
マスク器具１５００等の本明細書のマスク器具は、１つ以上の様々な方法でユーザの顔に固定されてよい。図１６−１８は、様々な実施形態に係る、固定機構の例を示す。図１６から始めると、１つ以上の実施形態に係る、ユーザに使用される二重ストラップマスク器具１６００が示される。器具１６００は、図１５Ｄに示されるマスクシェル１５０１及びフィルタ１５５０を使用して実装されるマスクシェル１６１０及びフィルタ１６２０を備える。第１のストラップ１６１１は、ファスナ１６０を介してマスクシェル１６１０に接続され、第２のストラップ１６１２は、ファスナ１６３２を介してマスクシェル１６１０に接続される。
【００７１】
図１７は、１つ以上の実施形態に係る、ユーザに使用される耳マスク器具１７００を示す。ストラップ１７１０を介してユーザの耳に付けられるマスクシェル１７１０及びフィルタ１７２０は、ファスナ１７３０及び１７３２を介して、マスクシェルのそれぞれの端において付けられている。
【００７２】
図１８は、１つ以上の実施形態に係る、ユーザに使用される単ストラップマスク器具１８００を示す。マスクシェル１８１及びフィルタ１８２０は、ストラップ１８１１を介してユーザの顔に固定され、ファスナ１８３０及び１８３２を介して、マスクシェルに結合されている。
【００７３】
従って、図１６−１８に示されるように、マスクシェル／フィルタマスク器具について、様々なストラップの選択肢が利用できる。そして、ストラップは、ユーザに向かう力をマスクシェルに加え、マスクシェルと、ユーザの顔及びユーザの鼻と口の周りとの間にフィルタを固定する。さらに、図１５Ａ−１５Ｄに示されるような方法により、マスクシェル内部を強化することができ、フィルタの交換を容易にする、あるいはユーザの鼻と口の周りに固定的な密閉を提供できる。
【００７４】
上記の説明及び図示に基づいて、本明細書において説明及び図示される例示的な実施形態及び用途に厳密に従わずに、様々な実施形態に対して様々な変更及び変形を行うことができる点、当業者にとって容易に理解される。例えば、提示されたものに追加及び／又は代替して、様々な種類の材料が使用できる。ストラップの配置は、異なる人体構造を収めるために変更されてよい。また、本明細書に記載される様々な実施形態は、特定の実施形態と組み合わされてよく、個別の実施形態の様々な様態は、別個の実施形態として実装されてよい。図面に示される及び／又は本明細書に説明される実施形態は、共に実装されてよく、又は特定の実施形態の特徴である特定の要素は、別個に使用されてよい。そのような変形例は、請求の範囲に記載される様態を含む、発明の様々な様態の真の精神及び範囲から逸脱しない。
【図１Ａ】
2021521357.tif 000003
【図１Ｂ】
2021521357.tif 000004
【図１Ｃ】
2021521357.tif 000005
【図２Ａ】
2021521357.tif 000006
【図２Ｂ】
2021521357.tif 000007
【図２Ｃ】
2021521357.tif 000008
【図３Ａ】
2021521357.tif 000009
【図３Ｂ】
2021521357.tif 000010
【図３Ｃ】
2021521357.tif 000011
【図４Ａ】
2021521357.tif 000012
【図４Ｂ】
2021521357.tif 000013
【図５】
2021521357.tif 000014
【図６】
2021521357.tif 000015
【図７】
2021521357.tif 000016
【図８】
2021521357.tif 000017
【図９】
2021521357.tif 000018
【図１０】
2021521357.tif 000019
【図１１】
2021521357.tif 000020
【図１２】
2021521357.tif 000021
【図１３】
2021521357.tif 000022
【図１４Ａ】
2021521357.tif 000023
【図１４Ｂ】
2021521357.tif 000024
【図１５Ａ】
2021521357.tif 000025
【図１５Ｂ】
2021521357.tif 000026
【図１５Ｃ】
2021521357.tif 000027
【図１５Ｄ】
2021521357.tif 000028
【図１６】
2021521357.tif 000029
【図１７】
2021521357.tif 000030
【図１８】
2021521357.tif 000031
【国際調査報告】
2021521357.tif 000032
2021521357.tif 000033